(57)【要約】【課題】操作入力の利便性を向上する。【解決手段】操作入力装置３０は、突出機構４４を有しており、突出機構４４は、操作面４２Ａの第１〜第４選択操作領域４２Ａ１〜４２Ａ４を、第１〜第４ボタン画像１２Ａ〜１２Ｄの優先度（適合度）に応じた異なる突出量で、操作面４２Ａに対して突出させる。しかも、第１〜第４選択操作領域４２Ａ１〜４２Ａ４における操作面４２Ａからの突出高さが、レコメンド情報の優先度（適合度）に応じた異なる高さになっている。このため、利用者が、高さの異なる第１〜第４選択操作領域４２Ａ１〜４２Ａ４に触れることで、優先度（適合度）と対応した第１〜第４選択操作領域４２Ａ１〜４２Ａ４を直感的に認識することができる。したがって、操作入力装置３０によれば、利用者に対する利便性を向上することができる。【選択図】図６
2019053387.tif 000002
【特許請求の範囲】
【請求項１】
選択可能な複数のオブジェクトを優先度に応じた異なる表示態様で表示する表示装置と、
押圧操作可能に構成された操作面を有し、前記操作面において、複数の前記オブジェクトの各々に対応付けられた複数の選択操作領域が設定されている操作入力装置と、
を備え、
前記操作入力装置が、複数の前記選択操作領域を、前記優先度に応じた異なる突出量で前記操作面に対して突出させる突出駆動部を含んで構成されている操作入力システム。
【請求項２】
前記オブジェクトは、利用者に応じたレコメンド情報に基づいて表示される請求項１に記載の操作入力システム。
【請求項３】
前記突出量は、前記優先度が高くなるに従い大きく設定されている請求項１又は請求項２に記載の操作入力システム。
【請求項４】
前記操作面における突出された前記選択操作領域以外の部分が押圧操作されたときには、当該突出された前記選択操作領域を前記操作面と面一となる位置に前記突出駆動部によって復帰させると共に、前記表示装置における複数の前記オブジェクトの表示を終了する請求項１〜請求項３の何れか１項に記載の操作入力システム。
【請求項５】
前記操作入力装置は、
前記操作面への接触位置と、前記操作面に対する押圧と、を検出する検出部と、
前記検出部によって前記操作面に対する押圧が検出されたときに、前記接触位置が含まれる領域を被操作領域として特定する特定部と、
を備える請求項１〜請求項４の何れか１項に記載の操作入力システム。
【請求項６】
前記検出部は、前記操作面への押圧に起因する静電容量の変化を検出する静電容量検出部を含んで構成されており、
前記選択操作領域の突出量が大きくなるに従い、前記選択操作領域に対応する前記静電容量検出部の感度を高く設定している請求項５に記載の操作入力システム。
【請求項７】
前記表示装置は、前記オブジェクトの内容を音声によって報知する出力部を有しており、
前記選択操作領域への接触が検出されたときには、当該選択操作領域に対応する前記オブジェクトの内容を前記出力部によって報知する請求項５又は請求項６に記載の操作入力システム。
【請求項８】
前記突出駆動部は、
前記選択操作領域を突出させるための突出部材と、
前記操作面に対して平行を成す面に沿って移動可能に構成され、移動することで前記突出部材を介して前記選択操作領域を前記操作面に対して突出させる移動部材と、
前記移動部材に連結され、作動することで前記移動部材を移動させる駆動部と、
を含んで構成されている請求項１〜請求項７の何れか１項に記載の操作入力システム。
【請求項９】
前記移動部材は、前記突出部材と係合する複数の係合面を有しており、
前記操作面に対して直交する方向における、複数の前記係合面の位置が異なる位置に設定されている請求項８に記載の操作入力システム。
【請求項１０】
選択可能な複数のオブジェクトを表示する表示装置と、
押圧操作可能に構成された操作面を有し、前記操作面において、複数の前記オブジェクトの各々に対応付けられた複数の選択操作領域が設定されている操作入力装置と、
を有する操作入力システムにより実行される操作入力制御方法であって、
前記表示装置が、前記オブジェクトを優先度に応じた異なる表示態様で表示する工程と、
前記操作入力装置の突出駆動部が、複数の前記選択操作領域を、前記優先度に応じた異なる突出量で前記操作面に対して突出させる工程と、
を備えた操作入力制御方法。
【請求項１１】
選択可能な複数のオブジェクトを表示する表示装置と、
押圧操作可能に構成された操作面を有し、前記操作面において、複数の前記オブジェクトの各々に対応付けられた複数の選択操作領域が設定されている操作入力装置と、
を有する操作入力システムのコンピュータに、
前記表示装置が、前記オブジェクトを優先度に応じた異なる表示態様で表示する工程と、
前記操作入力装置の突出駆動部が、複数の前記選択操作領域を、前記優先度に応じた異なる突出量で前記操作面に対して突出させる工程と、
を実行させるための操作入力制御プログラム。
【発明の詳細な説明】
【技術分野】
【０００１】
本発明は、操作入力システム、操作入力制御方法、及び操作入力制御プログラムに関する。
【背景技術】
【０００２】
下記特許文献１に記載の入力装置では、シート状の操作面が、直方体ブロック状の複数の入力部の上面に対して対向して配置されている。また、入力部が、操作面に対して垂直の方向に駆動部によって移動して、操作面が突出される（以下、操作面における突出された領域を突出領域という）。そして、操作面における突出領域を利用者が操作することで、入力装置への入力を行う。これにより、利用者が、操作面における入力を行う位置を直感的に認識しつつ、入力装置へ入力を行うことができる。
【先行技術文献】
【特許文献】
【０００３】
【特許文献１】特開２０１５−６０２６８号公報
【発明の概要】
【発明が解決しようとする課題】
【０００４】
しかしながら、上記入力装置では、複数の突出領域が入力部によって突出された場合には、突出領域の突出高さが同一であるため、利用者が所望する突出領域を判別することが容易ではなかった。したがって、上記入力装置では、操作入力の利便性が低下するという問題が一例として挙げられる。
【０００５】
本発明は、上述の一例などの問題に鑑みてなされたものであり、操作入力の利便性を向上することができる操作入力システム、操作入力制御方法、及び操作入力制御プログラムを提供することを主な目的とする。
【課題を解決するための手段】
【０００６】
請求項１に記載の発明は、選択可能な複数のオブジェクトを優先度に応じた異なる表示態様で表示する表示装置と、押圧操作可能に構成された操作面を有し、前記操作面において、複数の前記オブジェクトの各々に対応付けられた複数の選択操作領域が設定されている操作入力装置と、を備え、前記操作入力装置が、複数の前記選択操作領域を、前記優先度に応じた異なる突出量で前記操作面に対して突出させる突出駆動部を含んで構成されている操作入力システムである。
【０００７】
請求項１０に記載の発明は、選択可能な複数のオブジェクトを表示する表示装置と、押圧操作可能に構成された操作面を有し、前記操作面において、複数の前記オブジェクトの各々に対応付けられた複数の選択操作領域が設定されている操作入力装置と、を有する操作入力システムにより実行される操作入力制御方法であって、前記表示装置が、前記オブジェクトを優先度に応じた異なる表示態様で表示する工程と、前記操作入力装置の突出駆動部が、複数の前記選択操作領域を、前記優先度に応じた異なる突出量で前記操作面に対して突出させる工程と、を備えた操作入力制御方法である。
【０００８】
請求項１１に記載の発明は、選択可能な複数のオブジェクトを表示する表示装置と、押圧操作可能に構成された操作面を有し、前記操作面において、複数の前記オブジェクトの各々に対応付けられた複数の選択操作領域が設定されている操作入力装置と、を有する操作入力システムのコンピュータに、前記表示装置が、前記オブジェクトを優先度に応じた異なる表示態様で表示する工程と、前記操作入力装置の突出駆動部が、複数の前記選択操作領域を、前記優先度に応じた異なる突出量で前記操作面に対して突出させる工程と、を実行させるための操作入力制御プログラムである。
【図面の簡単な説明】
【０００９】
【図１】図１は、本実施例に係る操作入力システムが車両に搭載された状態を模式的に示す模式図である。
【図２】図２は、図１に示される操作入力システムの構成を示す構成図である。
【図３】図３は、図１に示される操作入力システムの操作入力装置を示す斜視図である。
【図４】図４（Ａ）は、図３に示される操作入力装置の正面図であり、図４（Ｂ）は、図４（Ａ）に示される操作入力装置を一部破断した断面図（図４（Ａ）の４Ｂ−４Ｂ線断面図）である。
【図５】図５は、図３に示される操作入力装置の分解斜視図である。
【図６】図６（Ａ）は、本実施例に係る操作入力システムの作動状態の一例を説明するための説明図であり、図６（Ｂ）は、図６（Ａ）の状態から選択操作領域が押圧操作されたときの操作入力システムの作動状態の一例を説明するための説明図である。
【図７】図７は、本実施例に係る操作入力システムの動作を説明するためのフローチャートである。
【発明を実施するための形態】
【００１０】
本実施形態の操作入力システムの一態様は、選択可能な複数のオブジェクトを優先度に応じた異なる表示態様で表示する表示装置と、押圧操作可能に構成された操作面を有し、前記操作面において、複数の前記オブジェクトの各々に対応付けられた複数の選択操作領域が設定されている操作入力装置と、を備え、前記操作入力装置が、複数の前記選択操作領域を、前記優先度に応じた異なる突出量で前記操作面に対して突出させる突出駆動部を含んで構成されている。
【００１１】
上記構成の操作入力システムによれば、選択可能な複数のオブジェクトが、優先度に応じた異なる表示態様で表示装置に表示される。また、操作入力装置は、押圧操作可能に構成された操作面を含んで構成されており、操作面は、オブジェクトの各々に対応付けられた複数の選択操作領域を有している。
【００１２】
ここで、操作入力装置は、突出駆動部を有しており、突出駆動部は、複数の選択操作領域を、優先度に応じた異なる突出量で操作面に対して突出させる。すなわち、複数のオブジェクトの何れかを選択するための複数の選択操作領域が、それぞれ優先度に応じた、異なる高さで突出される。これにより、利用者が、高さの異なる選択操作領域に触れることで、優先度と対応した選択操作領域を直感的に認識することができる。したがって、本実施形態の操作入力システムによれば、操作入力の利便性を向上することができる。
【００１３】
また、本実施形態の操作入力システムの他の態様は、前記オブジェクトは、利用者に応じたレコメンド情報に基づいて表示される。
【００１４】
上記構成の操作入力システムによれば、オブジェクトが、利用者に応じたレコメンド情報に基づいて表示されるため、利用者の好みの傾向に応じた情報を提供することができる。
【００１５】
また、本実施形態の操作入力システムの他の態様は、前記突出量は、前記優先度が高くなるに従い大きく設定されている。
【００１６】
上記構成の操作入力システムによれば、突出された選択操作領域を利用者が触れたときに、操作する選択操作領域を優先度の高い順に認識することができる。このため、操作入力の利便性を一層向上することができる。
【００１７】
また、本実施形態の操作入力システムの他の態様は、前記操作面における突出された前記選択操作領域以外の部分が押圧操作されたときには、当該突出された前記選択操作領域を前記操作面と面一となる位置に前記突出駆動部によって復帰させると共に、前記表示装置における複数の前記オブジェクトの表示を終了する。
【００１８】
上記構成の操作入力システムによれば、表示装置に表示されたオブジェクトの選択を利用者が所望していない場合に、突出された選択操作領域以外の部分を利用者が押圧することで、操作入力装置を初期状態に戻すことができると共に、表示装置におけるオブジェクトの表示を終了させることができる。
【００１９】
また、本実施形態の操作入力システムの他の態様は、前記操作入力装置は、前記操作面への接触位置と、前記操作面に対する押圧と、を検出する検出部と、前記検出部によって前記操作面に対する押圧が検出されたときに、前記接触位置が含まれる領域を被操作領域として特定する特定部と、を備えている。
【００２０】
上記構成の操作入力システムによれば、例えば、利用者が所定荷重未満の荷重で操作面に触れた場合には、特定部が、被操作領域を特定しない。このため、例えば、利用者が所望の選択操作領域を手探りで探す最中に、操作入力装置が作動することを抑制できる。これにより、利用者の操作意思に応じて、操作入力装置を作動させることができる。
【００２１】
また、本実施形態の操作入力システムの他の態様は、前記検出部は、前記操作面への押圧に起因する静電容量の変化を検出する静電容量検出部を含んで構成されており、前記選択操作領域の突出量が大きくなるに従い、前記選択操作領域に対応する前記静電容量検出部の感度を高く設定している。
【００２２】
上記構成の操作入力システムによれば、選択操作領域を操作面に対して突出させた構成にしても、選択操作領域に対する押圧操作を検出部によって良好に検出することができる。
【００２３】
また、本実施形態の操作入力システムの他の態様は、前記表示装置は、前記オブジェクトの内容を音声によって報知する出力部を有しており、前記選択操作領域への接触が検出されたときには、当該選択操作領域に対応する前記オブジェクトの内容を前記出力部によって報知する。
【００２４】
上記構成の操作入力システムによれば、選択操作領域を利用者が接触することで、オブジェクトの内容が音声にて報知される。このため、利用者が、選択操作領域に対応するオブジェクトの内容を音声によって確認しながら、選択操作領域に対する押圧操作の可否を決定することができる。これにより、操作入力の利便性を効果的に向上することができる。
【００２５】
また、本実施形態の操作入力システムの他の態様は、前記突出駆動部は、前記選択操作領域を突出させるための突出部材と、前記操作面に対して平行を成す面に沿って移動可能に構成され、移動することで前記突出部材を介して前記選択操作領域を前記操作面に対して突出させる移動部材と、前記移動部材に連結され、作動することで前記移動部材を移動させる駆動部と、を含んで構成されている。
【００２６】
上記構成の操作入力システムによれば、突出駆動部の駆動部が作動することで、駆動部に連結された移動部材が、操作面に対して平行を成す面に沿って移動する。このとき、突出部材によって選択操作領域が操作面に対して突出される。したがって、突出駆動部を簡易な構成にして、選択操作領域を操作面に対して突出させることができる。
【００２７】
また、本実施形態の操作入力システムの他の態様は、前記移動部材は、前記突出部材と係合する複数の係合面を有しており、前記操作面に対して直交する方向における、複数の前記係合面の位置が異なる位置に設定されている。
【００２８】
上記構成の操作入力システムによれば、移動部材が、複数の係合面を有しているため、突出駆動部によって、選択操作領域の各々の突出量を可変させることができる。
【００２９】
また、本発明の他の実施形態では、選択可能な複数のオブジェクトを表示する表示装置と、押圧操作可能に構成された操作面を有し、前記操作面において、複数の前記オブジェクトの各々に対応付けられた複数の選択操作領域が設定されている操作入力装置と、を有する操作入力システムにより実行される操作入力制御方法であって、前記表示装置が、前記オブジェクトを優先度に応じた異なる表示態様で表示する工程と、前記操作入力装置の突出駆動部が、複数の前記選択操作領域を、前記優先度に応じた異なる突出量で前記操作面に対して突出させる工程と、を備えている。操作入力システムは、この操作入力制御方法を実行することで、複数のオブジェクトの何れかを選択するための複数の選択操作領域が、それぞれ異なる高さで突出される。これにより、利用者が、高さの異なる選択操作領域に触れることで、優先度と対応した選択操作領域を直感的に認識することができる。したがって、操作入力の利便性を向上することができる。
【００３０】
また、本発明の他の実施形態では、選択可能な複数のオブジェクトを表示する表示装置と、押圧操作可能に構成された操作面を有し、前記操作面において、複数の前記オブジェクトの各々に対応付けられた複数の選択操作領域が設定されている操作入力装置と、を有する操作入力システムのコンピュータに、前記表示装置が、前記オブジェクトを優先度に応じた異なる表示態様で表示する工程と、前記操作入力装置の突出駆動部が、複数の前記選択操作領域を、前記優先度に応じた異なる突出量で前記操作面に対して突出させる工程と、を実行させるための操作入力制御プログラムである。操作入力システムのコンピュータが、このプログラムを実行することで、複数のオブジェクトの何れかを選択するための複数の選択操作領域が、それぞれ異なる高さで突出される。これにより、利用者が、高さの異なる選択操作領域に触れることで、優先度と対応した選択操作領域を直感的に認識することができる。したがって、操作入力の利便性を向上することができる。
【実施例】
【００３１】
以下、図面を用いて、本実施例に係る操作入力システムＳについて説明する。図１に示されるように、操作入力システムＳは、ナビゲーション装置１０と、操作入力装置３０と、を含んで構成されている。そして、ナビゲーション装置１０が、本発明の「表示装置」の一例である。この操作入力システムＳは、車両８０（自動車）に搭載されている。具体的には、ナビゲーション装置１０が、車両８０のインストルメントパネル８２における略車幅方向中央部に内蔵されている。また、操作入力装置３０が、車両８０のステアリングホイール８４におけるパッド部８６に内蔵されている。そして、利用者（運転者）が操作入力装置３０を操作することで、ナビゲーション装置１０への入力を行うようになっている。以下、ナビゲーション装置１０及び操作入力装置３０の各構成について説明する。
【００３２】
（ナビゲーション装置１０について）
図２に示されるように、ナビゲーション装置１０は、表示部１２と、表示部１２を制御するための表示制御部１４と、を含んで構成されている。また、ナビゲーション装置１０は、利用者に対するレコメンド情報（おすすめ情報）を取得するレコメンド情報取得部１６を有している。さらに、ナビゲーション装置１０は、音声出力するスピーカ２０を制御する音声制御部１８を有している。
【００３３】
＜表示部について＞
図１に示されるように、表示部１２は、車両８０のインストルメントパネル８２に形成された開口部８２Ａの内側に配置されて、キャビン８８（車室）側に露出されている。表示部１２は、タッチパネルを含んで構成されている。すなわち、ナビゲーション装置１０の表示部１２においても、ナビゲーション装置１０に対する操作を行える構成になっている。また、表示部１２は、後述する表示制御部１４の制御によって、車両８０の周辺地図を表示すると共に、車両８０の位置を地図上に重畳させて表示するようになっている。また、表示部１２は、施設を検索するためのボタン画像や、音楽を選択するためのボタン画像などを表示するようになっている。さらに、表示部１２は、後述するレコメンド情報取得部１６によって取得されたレコメンド情報を、表示制御部１４の制御により表示するようになっている。表示部１２におけるレコメンド情報の表示については後述する。
【００３４】
＜レコメンド情報取得部について＞
図２に示されるように、レコメンド情報取得部１６は、表示制御部１４に電気的に接続されている。レコメンド情報取得部１６は、利用者におけるナビゲーション装置１０の利用状況に応じて、利用者が所望すると予想される情報をレコメンド情報として取得して、当該レコメンド情報を表示制御部１４に出力するようになっている。以下、レコメンド情報取得部１６におけるレコメンド情報の取得の一例を説明する。
【００３５】
レコメンド情報取得部１６は、過去に利用者がナビゲーション装置１０を用いて検索や選択した施設や音楽等の情報を、利用者の利用状況（日時、車両８０の走行状況、周囲環境等）ごとに整理・分類して、利用者の属性情報として記憶している。例えば、利用者が飲食店を検索した場合には、レコメンド情報取得部１６が、当該飲食店の情報（パスタ店等の飲食店の種別情報等）を、検索時における曜日、時刻、車両８０の走行状況、周囲環境等の条件ごとに整理・分類して、属性情報として記憶する。また、例えば、利用者がナビゲーション装置１０を用いて音楽を選択した場合には、レコメンド情報取得部１６が、当該音楽の情報（楽曲、ジャンル、アーティスト等の情報）を、検索時における曜日、時刻、車両８０の走行状況、周囲環境等の条件ごとに整理・分類して、属性情報として記憶する。
【００３６】
そして、レコメンド情報取得部１６は、現在の利用状況に応じた、利用者が所望すると予想されるレコメンド情報を取得し、取得したレコメンド情報を表示制御部１４に出力するようになっている。具体的には、レコメンド情報取得部１６は、属性情報を参照して、現在の利用状況に対して適合度（一致度）の高い条件を有する属性情報を検出する。そして、レコメンド情報取得部１６が、検出した属性情報に対応する施設や音楽等のレコメンド情報を、利用者に対する優先度（利用者に対するおすすめ度）が高い情報として取得する。
【００３７】
また、レコメンド情報取得部１６は、現在の利用状況に対して優先度（適合度）の高い順に、所定数以下のレコメンド情報を生成する。なお、本実施例では、一例として、レコメンド情報取得部１６が生成するレコメンド情報の所定数（最大数）を４に設定している。そして、レコメンド情報取得部１６は、取得したレコメンド情報と、当該レコメンド情報ごとの優先度（適合度）の情報と、を表示制御部１４に出力する。なお、レコメンド情報では、現在の利用状況に対する適合度が高いほど、利用者に対する優先度が高い情報になっている。
【００３８】
＜表示制御部について＞
表示制御部１４は、レコメンド情報取得部１６から出力されたレコメンド情報に基づいて、表示部１２の表示画面を、利用者に対してレコメンド情報の選択を促す画面に遷移させるようになっている。具体的には、図１に示されるように、各レコメンド情報に対応した、最大４つの第１〜第４ボタン画像１２Ａ、１２Ｂ、１２Ｃ、１２Ｄが、表示部１２の少なくとも一部のエリア（本実施例では、表示部１２の右側のエリア１２Ｒ）に表示されるようになっている。そして、第１〜第４ボタン画像１２Ａ〜１２Ｄが、本発明の「オブジェクト」の一例である。
【００３９】
この第１〜第４ボタン画像１２Ａ〜１２Ｄは、それぞれ略矩形状を成す共に、所定の間隔を空けて配置されている。詳しくは、第１ボタン画像１２Ａ及び第２ボタン画像１２Ｂが上下に並んで配置されている。また、第３ボタン画像１２Ｃ及び第４ボタン画像１２Ｄが、第１ボタン画像１２Ａ及び第２ボタン画像１２Ｂの右側において、上下に並んで配置されている。さらに、第１ボタン画像１２Ａ及び第２ボタン画像１２Ｂの列と、第３ボタン画像１２Ｃ及び第４ボタン画像１２Ｄの列とが、上下にずれて配置されている。
【００４０】
また、表示制御部１４は、各レコメンド情報の優先度に応じて、第１〜第４ボタン画像１２Ａ〜１２Ｄを異なる表示態様で表示させるようになっている。より詳しくは、本実施例では、第１〜第４ボタン画像１２Ａ〜１２Ｄの明度が、優先度が高くなるに従って、高くなるように設定されている（図１に示される例では、第１ボタン画像１２Ａに対応するレコメンド情報の優先度が一番高く、第４ボタン画像１２Ｄに対応するレコメンド情報の優先度が一番低く設定された例を示している）。
【００４１】
＜音声制御部について＞
図２に示されるように、音声制御部１８は、スピーカ２０に電気的に接続されている。そして、音声制御部１８は、ナビゲーション装置１０における経路案内などの情報をスピーカ２０に出力して、スピーカ２０が当該情報を音声によって出力するようになっている。また、音声制御部１８は、例えば、ナビゲーション装置１０に記憶された音楽データに基づいて、スピーカ２０から音楽データに基づく楽曲を出力させるようになっている。なお、スピーカ２０が、本発明の「出力部」の一例である。
【００４２】
（操作入力装置について）
次に、図３〜図５を用いて、操作入力装置３０について説明する。なお、図面において適宜示される矢印ＦＲ、矢印ＵＰ、矢印ＲＨは、操作入力装置３０の前側、上側、右側（幅方向一方側）を示している。以下の操作入力装置３０の説明において、前後、上下、左右の方向を用いて説明する場合には、特に断りのない限り、操作入力装置３０の前後、上下、左右を示すものとする。
【００４３】
操作入力装置３０は、全体として、前後方向を厚み方向とする略矩形平板ブロック状に形成されて、前述したステアリングホイール８４のパッド部８６に内蔵されている。そして、操作入力装置３０の前面の一部が、パッド部８６に形成された開口部８６Ａから操作可能に露出されている（図１参照）。
【００４４】
操作入力装置３０は、フレーム３２と、操作入力装置３０の前部を構成するパネル４０と、開口部８６Ａから操作可能に露出されるシート４２と、を含んで構成されている。また、操作入力装置３０は、利用者のシート４２への操作（入力）を検出するための荷重センサ３４及び静電容量センサ３６を有している。さらに、操作入力装置３０は、シート４２の一部の領域を前方側へ突出させるための突出機構４４と、突出機構４４を作動させるための操作入力制御部６４（図２参照）と、を有している。以下、操作入力装置３０の各構成について説明する。
なお、静電容量センサ３６が、本発明の「静電容量検出部」の一例であり、荷重センサ３４及び静電容量センサ３６が、本発明の「検出部」の一例である。また、突出機構４４が、本発明の「突出駆動部」の一例であり、操作入力制御部６４が、本発明の「特定部」の一例である。
【００４５】
＜フレームについて＞
フレーム３２は、操作入力装置３０の骨格を構成している。このフレーム３２は、前後方向を板厚方向とした略矩形板状に形成されている。フレーム３２の上端部及び下端部には、左右一対の固定片３２Ａがそれぞれ形成されており、左右一対の固定片３２Ａは、フレーム３２の上端部（下端部）から上側（下側）へ突出されている。固定片３２Ａには、円形状の固定孔３２Ｂが貫通形成されている。そして、固定孔３２Ｂ内に、図示しないボルトなどの締結部材が挿入されて、フレーム３２（すなわち、操作入力装置３０）が、当該締結部材によってパッド部８６内のフレーム（図示省略）などに固定されている。
【００４６】
また、フレーム３２の下端部には、左右一対のピン３２Ｐが設けられている。ピン３２Ｐは、前後方向を軸方向とした略円柱状に形成されて、フレーム３２から前側へ突出されている。さらに、フレーム３２の幅方向両端部には、前方側へ屈曲された曲げフランジ３２Ｃが形成されており、曲げフランジ３２Ｃは、フレーム３２の上端部から下端部に亘って上下方向に延在されている。
【００４７】
＜荷重センサについて＞
荷重センサ３４は、全体として、前後方向を厚み方向とする略矩形板状に形成されている。そして、荷重センサ３４は、フレーム３２の前面を覆うように当該前面上に載置されて、フレーム３２に固着されている。また、荷重センサ３４の下端部における右側部分には、円形状の位置決め孔３４Ａが貫通形成されており、荷重センサ３４の下端部における左側部分には、左右方向を長手方向とする長孔状の位置決め孔３４Ｂが貫通形成されている。そして、位置決め孔３４Ａ内及び位置決め孔３４Ｂ内に、フレーム３２のピン３２Ｐが挿入されている。これにより、フレーム３２に対する荷重センサ３４の相対位置が決められた状態で、荷重センサ３４がフレーム３２に固着されている。
【００４８】
荷重センサ３４は、一例として圧電式の荷重センサとして構成されており、後述する操作入力制御部６４に電気的に接続されている。そして、荷重センサ３４は、その前面に入力された後側への荷重を電気的に検出し、検出信号を操作入力制御部６４へ出力するようになっている。
【００４９】
＜静電容量センサについて＞
静電容量センサ３６は、全体として、前後方向を厚み方向とする略矩形板状に形成されており、前方側から見た正面視で、静電容量センサ３６の大きさが、荷重センサ３４の大きさに略一致している。そして、静電容量センサ３６が、荷重センサ３４の前面上に載置されて、荷重センサ３４に固着されている。この静電容量センサ３６の下端部における右側部分には、円形状の位置決め孔３６Ａが貫通形成されており、静電容量センサ３６の下端部における左側部分には、左右方向を長手方向とする長孔状の位置決め孔３６Ｂが貫通形成されている。そして、位置決め孔３６Ａ内及び位置決め孔３６Ｂ内に、フレーム３２のピン３２Ｐが挿入されている。これにより、フレーム３２及び荷重センサ３４に対する静電容量センサ３６の相対位置が決められた状態で、静電容量センサ３６が荷重センサ３４に固着されている。
【００５０】
静電容量センサ３６は、センサ部３６Ｃ及び検出回路部３６Ｄを有している。センサ部３６Ｃと検出回路部３６Ｄとは電気的に接続されており、検出回路部３６Ｄは、後述する操作入力制御部６４に電気的に接続されている。センサ部３６Ｃは、上下方向及び左右方向に延在された複数の電極を有しており、これら電極が正面視で格子状に配置されている。また、各電極には、検出回路部３６Ｄによって、所定の電圧が印可されている。そして、利用者の指などがセンサ部３６Ｃに対して前方側から接近すると、指周辺における静電容量が変化するため、この静電容量の変化に基づく検出信号を検出回路部３６Ｄが操作入力制御部６４へ出力する構成になっている。
【００５１】
＜パネルについて＞
パネル４０は、前後方向を板厚方向とする略矩形板状に形成されており、正面視におけるパネル４０の大きさが、静電容量センサ３６の大きさに略一致している。パネル４０は、静電容量センサ３６の前側に隣接して配置されており、略四隅の部位において、ネジ７０によって静電容量センサ３６に締結固定されている。なお、ネジ７０の頭部がパネル４０の前面から突出しないように、パネル４０の前面における上端部及び下端部には、後側へ一段下がった段差面４０Ａがそれぞれ形成されている。
【００５２】
また、パネル４０の下端側の段差面４０Ａにおける右側部分には、円形状の位置決め孔４０Ｂが貫通形成されており、下側の段差面４０Ａにおける左側部分には、左右方向を長手方向とする長孔状の位置決め孔４０Ｃが貫通形成されている。そして、位置決め孔４０Ｂ内及び位置決め孔４０Ｃ内に、フレーム３２のピン３２Ｐが挿入されている。これにより、フレーム３２及び静電容量センサ３６に対するパネル４０の相対位置が決められた状態で、パネル４０が静電容量センサ３６に固定されている。
【００５３】
パネル４０の前面における上下方向中間部（詳しくは、上下一対の段差面４０Ａの間の部分）には、左端部を除く部分において、後側へ一段下がった載置面４０Ｄが形成されている。この載置面４０Ｄは、後述するシート４２を載置するための面として構成されると共に、段差面４０Ａよりも前側に配置されている。また、載置面４０Ｄは、正面視で、前述した静電容量センサ３６のセンサ部３６Ｃと重なる位置に配置されている。
【００５４】
パネル４０の略中央部には、複数（本実施例では、表示部１２に表示される第１〜第４ボタン画像１２Ａ〜１２Ｄの最大数に対応した４箇所）の第１〜第４収容孔４０Ｅ１、４０Ｅ２、４０Ｅ３、４０Ｅ４が貫通形成されている。この第１〜第４収容孔４０Ｅ１〜４０Ｅ４は、それぞれ同一形状を成すと共に、正面視で略正方形に形成されている。また、第１〜第４収容孔４０Ｅ１〜４０Ｅ４は、ナビゲーション装置１０の表示部１２に表示される第１〜第４ボタン画像１２Ａ〜１２Ｄに対応した位置に配置されている。具体的には、第１収容孔４０Ｅ１及び第２収容孔４０Ｅ２が上下に並んで配置されている。また、第３収容孔４０Ｅ３及び第４収容孔４０Ｅ４が、第１収容孔４０Ｅ１及び第２収容孔４０Ｅ２の右側において、上下に並んでいる。さらに、第３収容孔４０Ｅ３及び第４収容孔４０Ｅ４の列が、第１収容孔４０Ｅ１及び第２収容孔４０Ｅ２の列に対して、下側にずれて配置されている。
【００５５】
パネル４０の後面における左側部分には、上下一対の左側スライド溝４０Ｆが形成されている。そして、上側の左側スライド溝４０Ｆが、第１収容孔４０Ｅ１と対を成して配置されており、下側の左側スライド溝４０Ｆが、第２収容孔４０Ｅ２と対を成して配置されている。
【００５６】
左側スライド溝４０Ｆは、後側へ開放された凹状に形成されると共に、第１収容孔４０Ｅ１（第２収容孔４０Ｅ２）と交差するように左右方向に延在されている。これにより、左側スライド溝４０Ｆ内と第１収容孔４０Ｅ１内（第２収容孔４０Ｅ２内）とが連通されている。また、左側スライド溝４０Ｆの幅寸法は、第１収容孔４０Ｅ１（第２収容孔４０Ｅ２）の一辺の長さ寸法よりも若干小さく設定されている。そして、左側スライド溝４０Ｆにおける第１収容孔４０Ｅ１（第２収容孔４０Ｅ２）に対して左側部分を、外側スライド溝部４０Ｆ１としており、外側スライド溝部４０Ｆ１における左端部が、パネル４０の幅方向外側へ開放されている。また、左側スライド溝４０Ｆにおける第１収容孔４０Ｅ１（第２収容孔４０Ｅ２）に対して右側部分を、内側スライド溝部４０Ｆ２としている。そして、内側スライド溝部４０Ｆ２の先端部が、第３収容孔４０Ｅ３及び第４収容孔４０Ｅ４よりも右側に配置されている。
【００５７】
パネル４０の後面における右側部分には、上下一対の右側スライド溝４０Ｇが形成されている。そして、上側の右側スライド溝４０Ｇが、第３収容孔４０Ｅ３と対を成して配置されており、下側の右側スライド溝４０Ｇが、第４収容孔４０Ｅ４と対を成して配置されている。
【００５８】
右側スライド溝４０Ｇは、正面視で、左側スライド溝４０Ｆを１８０度反転した形状に構成されている。すなわち、右側スライド溝４０Ｇは、後側へ開放された凹状に形成されると共に、第３収容孔４０Ｅ３（第４収容孔４０Ｅ４）と交差するように左右方向に延在されている。これにより、右側スライド溝４０Ｇ内と第３収容孔４０Ｅ３内（第４収容孔４０Ｅ４内）とが連通されている。さらに、右側スライド溝４０Ｇにおける第３収容孔４０Ｅ３（第４収容孔４０Ｅ４）に対して右側部分を、外側スライド溝部４０Ｇ１としており、外側スライド溝部４０Ｇ１における右端部が、パネル４０の幅方向外側へ開放されている。また、右側スライド溝４０Ｇにおける第３収容孔４０Ｅ３（第４収容孔４０Ｅ４）に対して左側部分を、内側スライド溝部４０Ｇ２としている。そして、内側スライド溝部４０Ｇ２の先端部が、第１収容孔４０Ｅ１及び第２収容孔４０Ｅ２よりも左側に配置されている。
【００５９】
また、パネル４０の載置面４０Ｄを構成する部位は、前後方向に弾性変形可能に構成されている。詳しくは、パネル４０の載置面４０Ｄを構成する部位に、所定荷重値以上の後方側への荷重が入力されたときには、当該部位が後側へ弾性変形して、荷重センサ３４及び静電容量センサ３６を押圧する構成になっている。
【００６０】
＜シートについて＞
シート４２は、前後方向を厚み方向とした略矩形状を成すと共に、弾性及び伸縮性を有するシート材によって構成されている。このシート４２は、パネル４０の載置面４０Ｄ上に配置されて、載置面４０Ｄに貼着されている。
【００６１】
シート４２の前面は、操作面４２Ａとされている。また、操作面４２Ａにおいて、正面視で、第１収容孔４０Ｅ１とラップする領域を第１選択操作領域４２Ａ１とし、第２収容孔４０Ｅ２とラップする領域を第２選択操作領域４２Ａ２とし、第３収容孔４０Ｅ３とラップする領域を第３選択操作領域４２Ａ３とし、第４収容孔４０Ｅ４とラップする領域を第４選択操作領域４２Ａ４としている。これにより、第１〜第４選択操作領域４２Ａ１〜４２Ａ４が、ナビゲーション装置１０の表示部１２に表示される第１〜第４ボタン画像１２Ａ〜１２Ｄに対応して配置されている。換言すると、第１選択操作領域４２Ａ１が第１ボタン画像１２Ａと対を成して構成されており、第２選択操作領域４２Ａ２が第２ボタン画像１２Ｂと対を成して構成されている。また、第３選択操作領域４２Ａ３が第３ボタン画像１２Ｃと対を成して構成されており、第４選択操作領域４２Ａ４が第４ボタン画像１２Ｄと対を成して構成されている。
なお、第１〜第４選択操作領域４２Ａ１〜４２Ａ４が、本発明の「選択操作領域」の一例である。
また、本実施例では、操作面４２Ａにおける第１〜第４選択操作領域４２Ａ１〜４２Ａ４を除く領域を、非突出領域４２Ａ５としている。
【００６２】
そして、操作入力装置３０がステアリングホイール８４のパッド部８６に固定された状態では、操作面４２Ａが、パッド部８６の開口部８６Ａからキャビン８８側（詳しくは、運手者側）に操作可能に露出されている。具体的には、第１〜第４選択操作領域４２Ａ１〜４２Ａ４が、開口部８６Ａからキャビン８８側に操作可能に露出されている（図１参照）。
【００６３】
＜突出機構について＞
突出機構４４は、複数（本実施例では、表示部１２に表示される第１〜第４ボタン画像１２Ａ〜１２Ｄの最大数に対応した４個）の第１、第２、第３、第４ボタン４６Ａ、４６Ｂ、４６Ｃ、４６Ｄを有している。また、突出機構４４は、作動することで第１〜第４ボタン４６Ａ〜４６Ｄのそれぞれを移動させるための第１、第２、第３、第４移動機構４８Ａ、４８Ｂ、４８Ｃ、４８Ｄを有している。そして、第１〜第４ボタン４６Ａ〜４６Ｄが、本発明の「突出部材」の一例である。
【００６４】
［第１〜第４ボタンについて］
第１〜第４ボタン４６Ａ〜４６Ｄは、それぞれ同一構造を成している。このため、以下、第１ボタン４６Ａの構成について説明し、第２〜第４ボタン４６Ｂ〜４６Ｄの構成の説明については適宜省略する。第１ボタン４６Ａは、前後方向を厚み方向とする略矩形ブロック状に形成されると共に、正面視で、略正方形状に形成されている。第１ボタン４６Ａの後端部における外周部には、第１ボタン４６Ａの外側へ張り出されたフランジ４６ａが一体に形成されており、フランジ４６ａは、第１ボタン４６Ａの周方向全周に亘って形成されている。また、正面視におけるフランジ４６ａの外形は、略正方形状に形成されると共に、パネル４０の第１収容孔４０Ｅ１の外形に比べて僅かに小さく形成されている。
【００６５】
そして、第１ボタン４６Ａが、パネル４０の第１収容孔４０Ｅ１の内部に前後方向に相対移動可能に収容されて、操作面４２Ａの第１選択操作領域４２Ａ１と前後方向に対向配置されている。また、第２ボタン４６Ｂが、第２収容孔４０Ｅ２の内部に前後方向に相対移動可能に収容されて、操作面４２Ａの第２選択操作領域４２Ａ２と前後方向に対向配置されている。さらに、第３ボタン４６Ｃが、パネル４０の第３収容孔４０Ｅ３の内部に前後方向に相対移動可能に収容されて、操作面４２Ａの第３選択操作領域４２Ａ３と前後方向に対向配置されている。またさらに、第４ボタン４６Ｄが、第４収容孔４０Ｅ４の内部に前後方向に相対移動可能に収容されて、操作面４２Ａの第４選択操作領域４２Ａ４と前後方向に対向配置されている。
【００６６】
また、第１〜第４ボタン４６Ａ〜４６Ｄの厚みは、パネル４０の板厚と略一致している。すなわち、第１〜第４ボタン４６Ａ〜４６Ｄが、第１〜第４収容孔４０Ｅ１〜４０Ｅ４内に収容された状態では、第１〜第４ボタン４６Ａ〜４６Ｄの前面がシート４２の後側に隣接して配置されている（図４（Ｂ）に示される位置であり、以下、この第１〜第４ボタン４６Ａ〜４６Ｄの位置を「非突出位置」と称する）。そして、第１〜第４ボタン４６Ａ〜４６Ｄの非突出位置では、操作面４２Ａにおける第１〜第４選択操作領域４２Ａ１〜４２Ａ４が、操作面４２Ａ（非突出領域４２Ａ５）と面一に配置されている。
【００６７】
［第１〜第４移動機構について］
第１〜第４移動機構４８Ａ〜４８Ｄは、第１〜第４ボタン４６Ａ〜４６Ｄのそれぞれに対応して設けられている。換言すると、第１移動機構４８Ａが、第１ボタン４６Ａと対を成して構成されており、第２移動機構４８Ｂが、第２ボタン４６Ｂと対を成して構成されている。また、第３移動機構４８Ｃが、第３ボタン４６Ｃと対を成して構成されており、第４移動機構４８Ｄが、第４ボタン４６Ｄと対を成して構成されている。また、第１〜第４移動機構４８Ａ〜４８Ｄは、同一構造を成している。このため、以下の説明では、第１移動機構４８Ａの構成について説明し、第２移動機構４８Ｂ〜第４移動機構４８Ｄの構成についての説明は、適宜省略する。
【００６８】
第１移動機構４８Ａは、スライダ５０と、スライダ５０を駆動させるための駆動機構部５２と、を含んで構成されている。そして、スライダ５０が、本発明の「移動部材」の一例であり、駆動機構部５２が、本発明の「駆動部」の一例である。
【００６９】
スライダ５０は、左右方向に延在された略長尺板状を成すと共に、上側から見て略Ｌ形状に形成されている。具体的には、スライダ５０は、スライダ５０の基端部を構成し且つ前後方向を長手方向とする略直方体状のベース部５０Ａと、ベース部５０Ａの前端部から右側へ延出されたアーム部５０Ｂと、を含んで構成されている。アーム部５０Ｂは、前後方向を板厚方向とし、上下方向を幅方向とした略矩形板状に形成されている。
【００７０】
そして、スライダ５０のアーム部５０Ｂが、パネル４０における上側の左側スライド溝４０Ｆ内に左右方向にスライド可能に挿入されている。また、第１移動機構４８Ａの非作動状態では、アーム部５０Ｂが、左側スライド溝４０Ｆの外側スライド溝部４０Ｆ１内に配置されている。具体的には、アーム部５０Ｂの先端部が、第１ボタン４６Ａの左側に隣接して配置されており、ベース部５０Ａがフレーム３２に対して左側に離間して配置されている（図３及び図４に示される位置であり、以下、この第１移動機構４８Ａにおけるスライダ５０の位置を「初期位置」と称する）。
【００７１】
また、アーム部５０Ｂの前面は、カム面５０Ｃとされており、カム面５０Ｃにおけるアーム部５０Ｂの先端側の部分が、階段状に形成されている。具体的には、カム面５０Ｃは、アーム部５０Ｂの幅方向から見て、アーム部５０Ｂの先端から左側（基端側）へ向かうに従い前側へ傾斜された第１傾斜面５０Ｃ１と、第１傾斜面５０Ｃ１の左端から左側へ直線状に延出された第１押上面５０Ｃ２と、を有している。また、カム面５０Ｃは、アーム部５０Ｂの幅方向から見て、第１押上面５０Ｃ２の左端から左側へ向かうに従い前側へ傾斜された第２傾斜面５０Ｃ３と、第２傾斜面５０Ｃ３の左端から左側へ直線状に延出された第２押上面５０Ｃ４と、を有している。さらに、カム面５０Ｃは、アーム部５０Ｂの幅方向から見て、第２押上面５０Ｃ４の左端から左側へ向かうに従い前側へ傾斜された第３傾斜面５０Ｃ５と、第３傾斜面５０Ｃ５の左端から左側へ直線状に延出された第３押上面５０Ｃ６と、を有している。そして、第１押上面５０Ｃ２、第２押上面５０Ｃ４、及び第３押上面５０Ｃ６が、本発明の「係合面」の一例である。
【００７２】
駆動機構部５２は、連結プレート５４と、ナット５６と、モータ５８と、を含んで構成されている。
連結プレート５４は、左右方向を板厚方向とした略矩形板状に形成されて、スライダ５０のベース部５０Ａの左側に配置されている。そして、連結プレート５４の前端部が、ネジ７２によってスライダ５０のベース部５０Ａに固定されている。また、連結プレート５４の後端部は、ベース部５０Ａよりも後側へ突出されている。
【００７３】
ナット５６は、連結プレート５４の後端部の右側において、左右方向を軸方向として配置されて、連結プレート５４に固定されている。なお、連結プレート５４の後端部には、円形状の挿通孔５４Ａが貫通形成されており、挿通孔５４Ａは、ナット５６と同軸上に配置されている。
【００７４】
モータ５８は、一例として、ステッピングモータとして構成されている。モータ５８は、フレーム３２の後側に配置されており、モータ５８の出力軸５８Ａが、モータ本体５８Ｂから左側へ延出されている。そして、モータ５８が、モータブラケット６０Ｌを介してフレーム３２に固定されている。このモータブラケット６０Ｌは、上方側から見て、略Ｌ字形板状に形成されている。詳しくは、モータブラケット６０Ｌは、フレーム３２と平行に配置された固定部６０Ｌ１と、固定部６０Ｌ１の左端部から後側へ延出された取付部６０Ｌ２と、を含んで構成されている。そして、固定部６０Ｌ１が、フレーム３２にネジ７４によって締結固定されている。また、モータ５８のモータ本体５８Ｂが、取付部６０Ｌ２の上部に対して右側に隣接して配置されて、ネジ７６によって取付部６０Ｌ２に締結固定されている。
【００７５】
また、モータ５８の出力軸５８Ａの外周部には、雄ねじが形成されている。すなわち、出力軸５８Ａは、送りねじとして構成されている。この出力軸５８Ａは、連結プレート５４のナット５６と同軸上に配置されており、出力軸５８Ａにナット５６が螺合されている。これにより、モータ５８の出力軸５８Ａが回転することで、スライダ５０が初期位置から右側へ移動するようになっている。詳しくは、スライダ５０のカム面５０Ｃが、第１ボタン４６Ａの後面を摺動しながら第１ボタン４６Ａに対して相対移動して、第１ボタン４６Ａが、カム面５０Ｃによって前方側へ変位する（押し上げられる）構成になっている。これにより、第1ボタン４６Ａがシート４２の第１選択操作領域４２Ａ１を押上げて、第１選択操作領域４２Ａ１が操作面４２Ａ（非突出領域４２Ａ５）に対して前方側へ突出されるようになっている。
【００７６】
なお、詳細については後述するが、スライダ５０の移動時には、スライダ５０のカム面５０Ｃにおける第１押上面５０Ｃ２、第２押上面５０Ｃ４、第３押上面５０Ｃ６の何れかが、第１ボタン４６Ａの後面に係合する設定になっている。また、スライダ５０の第２押上面５０Ｃ４又は第３押上面５０Ｃ６が第１ボタン４６Ａに係合するときには、スライダ５０の先端部が左側スライド溝４０Ｆの内側スライド溝部４０Ｆ２内に挿入されるようになっている。これにより、スライダ５０の移動が内側スライド溝部４０Ｆ２によって許容される構成になっている。また、モータ５８の出力軸５８Ａの先端部には、略円筒状を成すストッパ６２が圧入などによって固定されている。これにより、ナット５６の出力軸５８Ａからの抜けをストッパ６２によって抑制する構成になっている。
【００７７】
第２移動機構４８Ｂは、前述のように、第２ボタン４６Ｂと対を成して構成されて、フレーム３２に組付けられている。具体的には、第２移動機構４８Ｂが、第１移動機構４８Ａと同じ向きで、且つ第１移動機構４８Ａの下側に配置されている。そして、第２移動機構４８Ｂにおけるモータ５８のモータ本体５８Ｂが、モータブラケット６０Ｌの取付部６０Ｌ２にネジ７６によって固定されている。これにより、第１移動機構４８Ａと第２移動機構４８Ｂとが、モータブラケット６０Ｌによって連結されて、ユニット化されている。また、第２移動機構４８Ｂのフレーム３２への組付状態では、第２移動機構４８Ｂにおけるスライダ５０のアーム部５０Ｂが、下側の左側スライド溝４０Ｆ内にスライド可能に挿入されている。さらに、第２移動機構４８Ｂの非作動状態では、アーム部５０Ｂの先端部が、第２ボタン４６Ｂの左側に隣接して配置され、ベース部５０Ａがフレーム３２の曲げフランジ３２Ｃに対して左側に離間して配置されている（図３及び図４に示される位置であり、以下、この第２移動機構４８Ｂにおけるスライダ５０の位置を「初期位置」と称する）。
【００７８】
そして、第１移動機構４８Ａと同様に、第２移動機構４８Ｂが作動することで、スライダ５０が初期位置から右側へスライドして、第２ボタン４６Ｂがカム面５０Ｃによって非突出位置から前方側へ変位するようになっている。これにより、シート４２の第２選択操作領域４２Ａ２が操作面４２Ａに対して前方側へ突出される構成になっている。
【００７９】
第３移動機構４８Ｃは、前述のように、第３ボタン４６Ｃと対を成して構成されて、フレーム３２に組付けられている。具体的には、第３移動機構４８Ｃは、正面視で、第１移動機構４８Ａに対して１８０度反転した状態に配置されている。そして、第３移動機構４８Ｃが、モータブラケット６０Ｒを介してフレーム３２に連結されている。このモータブラケット６０Ｒは、モータブラケット６０Ｌを正面視で１８０度反転した形状に構成されている。すなわち、モータブラケット６０Ｒは、フレーム３２に平行に配置された固定部６０Ｒ１と、固定部６０Ｒ１の右端部から後側へ延出された取付部６０Ｒ２と、を含んで構成されている。そして、第３移動機構４８Ｃにおけるモータ５８のモータ本体５８Ｂが、モータブラケット６０Ｒの取付部６０Ｒ２の上部に対して左側に配置されて、ネジ７６によって取付部６０Ｒ２に固定されている。
【００８０】
また、第３移動機構４８Ｃの組付状態では、第３移動機構４８Ｃにおけるスライダ５０のアーム部５０Ｂが、上側の右側スライド溝４０Ｇ内にスライド可能に挿入されている。さらに、第３移動機構４８Ｃの非作動状態では、アーム部５０Ｂの先端部が、第３ボタン４６Ｃの右側に隣接して配置され、ベース部５０Ａがフレーム３２の曲げフランジ３２Ｃに対して右側に離間して配置されている（図３及び図４に示される位置であり、以下、この第３移動機構４８Ｃにおけるスライダ５０の位置を「初期位置」と称する）。
【００８１】
そして、第３移動機構４８Ｃが作動することで、スライダ５０が初期位置から左側へスライドして、第３ボタン４６Ｃがカム面５０Ｃによって非突出位置から前方側へ変位するようになっている。これにより、シート４２の第３選択操作領域４２Ａ３が操作面４２Ａに対して前方側へ突出される構成になっている。
【００８２】
第４移動機構４８Ｄは、前述のように、第４ボタン４６Ｄと対を成して構成されて、フレーム３２に組付けられている。具体的には、第４移動機構４８Ｄは、第３移動機構４８Ｃと同じ向きで、且つ第３移動機構４８Ｃの下側に配置されている。また、第４移動機構４８Ｄにおけるモータ５８のモータ本体５８Ｂが、モータブラケット６０Ｒの取付部６０Ｌ２にネジ７６によって固定されている。これにより、第３移動機構４８Ｃと第４移動機構４８Ｄとが、モータブラケット６０Ｒによって連結されて、ユニット化されている。また、第４移動機構４８Ｄの組付状態では、第４移動機構４８Ｄにおけるスライダ５０のアーム部５０Ｂが、下側の右側スライド溝４０Ｇ内にスライド可能に挿入されている。さらに、第４移動機構４８Ｄの非作動状態では、アーム部５０Ｂの先端部が、第４ボタン４６Ｄの右側に隣接して配置され、ベース部５０Ａがフレーム３２の曲げフランジ３２Ｃに対して右側に離間して配置されている（図３及び図４に示される位置であり、以下、この第４移動機構４８Ｄにおけるスライダ５０の位置を「初期位置」と称する）。
【００８３】
そして、第４移動機構４８Ｄが作動することで、スライダ５０が初期位置から左側へスライドして、第４ボタン４６Ｄがカム面５０Ｃによって非突出位置から前方側へ変位するようになっている。これにより、シート４２の操作面４２Ａにおける第４選択操作領域４２Ａ４が操作面４２Ａに対して前方側へ突出される構成になっている。
【００８４】
＜操作入力制御部について＞
図２に示されるように、操作入力制御部６４には、前述した荷重センサ３４、静電容量センサ３６、及び第１〜第４移動機構４８Ａ〜４８Ｄの各モータ５８が電気的に接続されている。また、操作入力制御部６４は、前述した表示制御部１４に電気的に接続されている。
【００８５】
操作入力制御部６４は、表示制御部１４から取得した情報に基づいて、第１〜第４移動機構４８Ａ〜４８Ｄの各モータ５８を作動させるようになっている。具体的には、操作入力制御部６４は、第１〜第４ボタン画像１２Ａ〜１２Ｄの何れにレコメンド情報が割り当てられたかの情報、及び、割り当てられたレコメンド情報の優先度の情報を、表示制御部１４から取得する。そして、操作入力制御部６４は、これらの情報から、第１〜第４移動機構４８Ａ〜４８Ｄの各モータ５８の駆動量（出力軸５８Ａの回転数）を設定して、第１〜第４移動機構４８Ａ〜４８Ｄを作動させる。すなわち、優先度の１番高いレコメンド情報を示すボタン画像と対を成すボタンを移動させる場合には、スライダ５０の第３押上面５０Ｃ６がボタンに係合するように、操作入力制御部６４がモータ５８の駆動量を設定しモータ５８を駆動させる。また、優先度の２番目に高いレコメンド情報を示すボタン画像と対を成すボタンを移動させる場合には、スライダ５０の第２押上面５０Ｃ４がボタンに係合するように、操作入力制御部６４がモータ５８の駆動量を設定しモータ５８を駆動させる。さらに、優先度の３番目に高いレコメンド情報を示すボタン画像と対を成すボタンを移動させる場合には、スライダ５０の第１押上面５０Ｃ２がボタンに係合するように、操作入力制御部６４がモータ５８の駆動量を設定しモータ５８を駆動させる。
【００８６】
このように、本実施例では、第１〜第４ボタン画像１２Ａ〜１２Ｄに割り当てられたレコメンド情報の優先度に応じて、第１〜第４ボタン４６Ａ〜４６Ｄの突出量が３段階に変化する構成になっている。すなわち、第１〜第４選択操作領域４２Ａ１〜４２Ａ４の操作面４２Ａからの突出量が３段階に変化するように設定されている。
【００８７】
また、操作入力制御部６４は、荷重センサ３４からの検出信号に基づいて、利用者の操作面４２Ａへの押圧操作を検知するようになっている。具体的には、操作入力制御部６４は、荷重センサ３４からの検出信号によって、操作面４２Ａに対する押圧荷重が所定荷重以上であるか否かを判別する。そして、当該荷重が所定荷重以上である場合には、利用者が操作面４２Ａを押圧操作したと、操作入力制御部６４が判断するようになっている。
【００８８】
さらに、操作入力制御部６４は、静電容量センサ３６からの検出信号に基づいて、利用者による操作面４２Ａの接触位置を検知するようになっている。また、本実施例では、静電容量センサ３６における第１〜第４選択操作領域４２Ａ１〜４２Ａ４に対する検出感度を高く設定している。具体的には、本実施例では、操作入力制御部６４において、検出回路部３６Ｄからの検出信号が、所定の閾値を超えるか否かに基づいて、操作面４２Ａに対する接触位置を算出している。このとき、操作入力制御部６４では、検出回路部３６Ｄからの第１〜第４選択操作領域４２Ａ１〜４２Ａ４に対応する検出信号に対する閾値を、第１〜第４選択操作領域４２Ａ１〜４２Ａ４の突出量が高くなるに従い低く設定している。このため、第１〜第４選択操作領域４２Ａ１〜４２Ａ４の突出量が高くなるに従い、静電容量センサ３６における第１〜第４選択操作領域４２Ａ１〜４２Ａ４に対する検出感度が高く設定されている。
【００８９】
なお、静電容量センサ３６における第１〜第４選択操作領域４２Ａ１〜４２Ａ４に対する検出感度を高くする構成はこれに限らない。例えば、操作入力制御部６４において、検出回路部３６Ｄからの第１〜第４選択操作領域４２Ａ１〜４２Ａ４に対応する検出信号を増幅して、第１〜第４選択操作領域４２Ａ１〜４２Ａ４に対する検出感度を高く設定してもよい。さらに、第１〜第４選択操作領域４２Ａ１〜４２Ａ４の突出量が高くなるに従い、当該増幅量を大きく設定してもよい。
【００９０】
そして、操作入力制御部６４において操作面４２Ａの押圧を検知した場合には、操作入力制御部６４は、操作面４２Ａにおける接触位置を含む領域を被操作領域として特定する。さらに、操作入力制御部６４は、特定した被操作領域が操作面４２Ａから突出された選択操作領域か否かを判別するようになっている。そして、操作入力制御部６４が、当該判別情報と、特定した被操作領域の情報と、を表示制御部１４へ出力するようになっている。
【００９１】
なお、詳細については後述するが、操作入力制御部６４によって特定した被操作領域が、操作面４２Ａから突出された選択操作領域でない場合には、突出機構４４が作動して、突出された選択操作領域が操作面４２Ａと面一となる位置へ復帰するように設定されている。また、この場合には、表示部１２におけるレコメンド情報を示すボタン画像を終了する設定になっている。
【００９２】
一方、操作入力制御部６４によって特定した被操作領域が、操作面４２Ａから突出された選択操作領域である場合には、選択されたレコメンド情報の下層（下位）のレコメンド情報の有無に応じて、操作入力システムＳが作動する設定になっている。
【００９３】
（作用効果）
次に、図６に示される例及び図７のフローチャートを用いて、操作入力システムＳの動作を説明しつつ、本実施例の作用及び効果について説明する。
【００９４】
ナビゲーション装置１０の表示部１２にレコメンド情報を示すボタン画像が表示されていない状態では、操作入力装置３０が、図３に示される非作動状態になっている。この状態では、第１〜第４移動機構４８Ａ〜４８Ｄのスライダ５０の各々が、初期位置に配置されており、第１〜第４ボタン４６Ａ〜４６Ｄの各々が、非突出位置に配置されている。これにより、操作面４２Ａの全体が面一（フラット）の状態になっている。
【００９５】
そして、操作入力システムＳでは、利用者の利用状況に応じて、ナビゲーション装置１０の表示部１２においてレコメンド情報を示すボタン画像を表示する。すなわち、レコメンド情報取得部１６によって取得されたレコメンド情報に基づいて、レコメンド情報がボタン画像として表示部１２に表示される。また、このときには、表示部１２に表示されるボタン画像が、レコメンド情報の優先度（適合度）に応じた異なる形態で表示される（ステップＳＴ１）。
【００９６】
図６（Ａ）に示される例では、３つのレコメンド情報が、レコメンド情報取得部１６によって取得されて、当該レコメンド情報に対応する３つのボタン画像が表示部１２に表示されている。具体的には、第１ボタン画像１２Ａに「食事」のレコメンド情報が割り当てられ、第２ボタン画像１２Ｂに「天気予報」のレコメンド情報が割り当てられ、第３ボタン画像１２Ｃに「ＢＧＭ」のレコメンド情報が割り当てられている。この例では、３つのレコメンド情報がレコメンド情報取得部１６によって取得されているため、第４ボタン画像１２Ｄが表示されていない。
【００９７】
また、この例では、「食事」に対する優先度が１番高く、「ＢＧＭ」に対する優先度が２番目に高く、「天気予報」に優先度が３番目に高くなっている。このため、表示部１２では、第１ボタン画像１２Ａの明度を１番高く設定し、第３ボタン画像１２Ｃの明度を２番目に高く設定し、第２ボタン画像１２Ｂの明度を３番目に高く設定して、第１〜第３ボタン画像１２Ａ〜１２Ｃを表示している。
【００９８】
さらに、表示制御部１４は、レコメンド情報がどのボタン画像に割り当てられたかの情報と、割り当てられたレコメンド情報の優先度の情報と、を操作入力装置３０の操作入力制御部６４へ出力する。表示制御部１４が、これらの情報を操作入力制御部６４へ出力すると、ステップＳＴ２へ移行する。
【００９９】
ステップＳＴ２では、操作入力制御部６４が、表示制御部１４からの出力に基づいて突出機構４４を作動させて、表示されたボタン画像に対応する第１〜第４選択操作領域４２Ａ１〜４２Ａ４を操作面４２Ａから突出させる。具体的には、操作入力制御部６４が、第１〜第４移動機構４８Ａ〜４８Ｄのモータ５８の駆動量を設定して、各モータ５８を駆動させる。
【０１００】
図６（Ａ）に示される例では、第１ボタン４６Ａに対応する第１ボタン画像１２Ａに割り当てられたレコメンド情報の優先度が１番高くなっている。このため、第１移動機構４８Ａにおけるスライダ５０の第３押上面５０Ｃ６が第１ボタン４６Ａに係合するように、操作入力制御部６４が第１移動機構４８Ａのモータ５８を駆動させる。これにより、第１ボタン４６Ａが非突出位置から前側へ変位する。その結果、操作面４２Ａにおける第１選択操作領域４２Ａ１が、操作面４２Ａから前側へ突出（隆起）される。
【０１０１】
また、第２ボタン４６Ｂに対応する第２ボタン画像１２Ｂに割り当てられたレコメンド情報の優先度は３番目に高くなっている。このため、第２移動機構４８Ｂにおけるスライダ５０の第１押上面５０Ｃ２が第２ボタン４６Ｂに係合するように、操作入力制御部６４が第２移動機構４８Ｂのモータ５８を駆動させる。これにより、第２ボタン４６Ｂが非突出位置から前側へ変位する。その結果、操作面４２Ａにおける第２選択操作領域４２Ａ２が、操作面４２Ａから前側へ突出（隆起）される。
【０１０２】
さらに、第３ボタン４６Ｃに対応する第３ボタン画像１２Ｃに割り当てられたレコメンド情報の優先度は２番目に高くなっている。このため、第３移動機構４８Ｃにおけるスライダ５０の第２押上面５０Ｃ４が第３ボタン４６Ｃに係合するように、操作入力制御部６４が第３移動機構４８Ｃのモータ５８を駆動させる。これにより、第３ボタン４６Ｃが非突出位置から前側へ変位する。その結果、操作面４２Ａにおける第３選択操作領域４２Ａ３が、操作面４２Ａから前側へ突出（隆起）される。
【０１０３】
なお、第４ボタン４６Ｄに対応する第４ボタン画像１２Ｄには、レコメンド情報が割り当てられていない。このため、操作入力制御部６４は、第４移動機構４８Ｄのモータ５８に対する駆動処理を行わない。すなわち、操作面４２Ａにおける第４選択操作領域４２Ａ４は、操作面４２Ａから突出されず、操作面４２Ａ（非突出領域４２Ａ５）と面一に配置されている。
【０１０４】
以上により、操作入力装置３０では、操作面４２Ａにおける第１〜第３ボタン画像１２Ａ〜１２Ｃに対応する第１〜第３選択操作領域４２Ａ１〜４２Ａ３が、利用者により選択可能に操作面４２Ａから突出される。しかも、操作面４２Ａから突出された選択操作領域の突出量が、レコメンド情報の優先度に応じて、第２選択操作領域４２Ａ２、第３選択操作領域４２Ａ３、第１選択操作領域４２Ａ１の順に大きくなっている。
【０１０５】
選択操作領域が操作面４２Ａから突出された後、ステップＳＴ３へ移行する。ステップＳＴ３では、操作入力制御部６４が、静電容量センサ３６及び荷重センサ３４からの検出信号に基づいて、利用者の操作面４２Ａへの押圧操作を検知する。
【０１０６】
操作入力制御部６４が、利用者の操作面４２Ａへの押圧操作を検知すると、ステップＳＴ４へ移行する。ステップＳＴ４では、操作入力制御部６４が、押圧操作された操作面４２Ａの被操作領域を特定して、特定した被操作領域が操作面４２Ａから突出された選択操作領域か否かを判断する。
【０１０７】
ステップＳＴ４において、特定した被操作領域が操作面４２Ａから突出された選択操作領域でない場合（ステップＳＴ４の「Ｎｏ」の場合であり、図６（Ａ）に示される例では、非突出領域４２Ａ５又は第４選択操作領域４２Ａ４を押圧操作した場合）には、ステップＳＴ５へ移行する。
【０１０８】
ステップＳＴ５では、操作入力制御部６４によって突出機構４４が作動して、突出された選択操作領域が操作面４２Ａと面一となる位置へ復帰される。具体的には、操作入力制御部６４は、第１〜第４移動機構４８Ａ〜４８Ｄの各スライダ５０を初期位置へ復帰させるように、モータ５８を駆動させる。すなわち、図６（Ａ）に示される例では、第１〜第３移動機構４８Ａ〜４８Ｃのモータ５８を駆動させて、スライダ５０を初期位置へ復帰させる。これにより、第１〜第３ボタン４６Ａ〜ボタン４６Ｃが非突出位置に復帰して、第１〜第３選択操作領域４２Ａ１〜４２Ａ３が、操作面４２Ａ（非突出領域４２Ａ５）と面一となる位置に復帰される。
【０１０９】
また、ステップＳＴ５では、操作入力制御部６４が、特定した被操作領域が操作面４２Ａから突出された選択操作領域でない旨の情報を表示制御部１４へ出力する。そして、表示制御部１４が、当該情報に基づいて、表示部１２におけるレコメンド情報を示すボタン画像の表示を終了させて、操作入力システムＳの処理が終了する。
【０１１０】
一方、ステップＳＴ４において、特定した被操作領域が操作面４２Ａから突出された選択操作領域である場合（ステップＳＴ４の「Ｙｅｓ」の場合）には、ステップＳＴ６へ移行する。ステップＳＴ６では、操作入力制御部６４が、特定した被操作領域の情報を表示制御部１４へ出力する。そして、表示制御部１４が、操作入力制御部６４からの被操作領域の情報から、表示部１２のボタン画像の何れかが選択されたか否かを判断する。さらに、表示制御部１４は、選択されたボタン画像に対応するレコメンド情報において、下層（下位）のレコメンド情報があるか否かを判断する。
【０１１１】
そして、下層のレコメンド情報がない場合（ステップＳＴ６の「Ｎｏ」の場合）には、ステップＳＴ８に移行する。ステップＳＴ８では、表示制御部１４は、選択されたボタン画像に対応するレコメンド情報を利用者の所望するレコメンド情報として表示部１２のエリア１２Ｒに表示して、操作入力システムＳの処理を終了する。
【０１１２】
一方、下層のレコメンド情報がある場合（ステップＳＴ６の「Ｙｅｓ」の場合）には、ステップＳＴ７へ移行する。ステップＳＴ７では、表示制御部１４が、選択されたボタン画像に基づいて、下層のレコメンド情報をボタン画像として表示部１２のエリア１２Ｒに表示する。
【０１１３】
図６（Ａ）に示される例では、利用者が操作面４２Ａの第３選択操作領域４２Ａ３を押圧操作した例として示している。このため、第３選択操作領域４２Ａ３に対応する第３ボタン画像１２Ｃ（すなわち、「ＢＧＭ」のレコメンド情報）が選択されたことを、表示制御部１４が判断する。これにより、図６（Ｂ）に示されるように、表示制御部１４の制御によって、下層のレコメンド情報を示すボタン画像が表示部１２のエリア１２Ｒに表示される。
【０１１４】
図６（Ｂ）に示される例では、「ＢＧＭ」のレコメンド情報における２つの下層のレコメンド情報が、レコメンド情報取得部１６によって取得されて、表示部１２にボタン画像として表示される。具体的には、第１ボタン画像１２Ａに「音楽１」のレコメンド情報が割り当てられ、第２ボタン画像１２Ｂに「音楽２」のレコメンド情報が割り当てられている。この例では、２つのレコメンド情報がレコメンド情報取得部１６によって取得されているため、第３ボタン画像１２Ｃ及び第４ボタン画像１２Ｄが表示されていない。
【０１１５】
また、この例では、「音楽１」に対する優先度が１番高く、「音楽２」に対する優先度が２番目に高くなっている。このため、表示部１２では、第１ボタン画像１２Ａの明度を１番高く設定し、第２ボタン画像１２Ｂの明度を２番目に高い明度に設定して、第１ボタン画像１２Ａ及び第２ボタン画像１２Ｂを表示している。
【０１１６】
さらに、表示制御部１４は、上述と同様に、レコメンド情報がどのボタン画像に割り当てられたかの情報と、割り当てられたレコメンド情報の優先度の情報と、を操作入力装置３０の操作入力制御部６４へ出力する。そして、表示制御部１４が、これらの情報を操作入力制御部６４へ出力すると、ステップＳＴ２へ戻り、上述と同様の処理を繰り返す。
【０１１７】
すなわち、上述と同様に、操作入力装置３０では、ステップＳＴ３において、操作入力制御部６４が、表示制御部１４からの出力に基づいて、第１〜第４移動機構４８Ａ〜４８Ｄのモータ５８の駆動量を設定して、各モータ５８を駆動させる。
図６（Ｂ）に示される例では、第１ボタン４６Ａに対応する第１ボタン画像１２Ａに割り当てられたレコメンド情報の優先度が１番高くなっている。このため、第１移動機構４８Ａにおけるスライダ５０の第３押上面５０Ｃ６が第１ボタン４６Ａに係合するように、操作入力制御部６４が第１移動機構４８Ａのモータ５８を駆動させる。これにより、第１ボタン４６Ａが非突出位置から前側へ変位して、第１選択操作領域４２Ａ１が、操作面４２Ａから前側へ突出（隆起）される。
【０１１８】
また、第２ボタン４６Ｂに対応する第２ボタン画像１２Ｂに割り当てられたレコメンド情報の優先度が２番目に高くなっている。このため、第２移動機構４８Ｂにおけるスライダ５０の第２押上面５０Ｃ４が第２ボタン４６Ｂに係合するように、操作入力制御部６４が第２移動機構４８Ｂのモータ５８を駆動させる。これにより、第２ボタン４６Ｂが非突出位置から前側へ変位して、第２選択操作領域４２Ａ２が、操作面４２Ａから前側へ突出（隆起）される。
【０１１９】
なお、第３ボタン４６Ｃ及び第４ボタン４６Ｄに対応する第３ボタン画像１２Ｃ及び第４ボタン画像１２Ｄには、レコメンド情報が割り当てられていない。このため、操作入力制御部６４は、第３移動機構４８Ｃのモータ５８を駆動させて、第３移動機構４８Ｃのスライダ５０を初期位置に復帰させる。これにより、操作面４２Ａにおける第３、第４選択操作領域４２Ａ３、４２Ａ４は、操作面４２Ａから突出されず、操作面４２Ａ（非突出領域４２Ａ５）と面一に配置される。
【０１２０】
そして、操作入力システムＳでは、ステップＳＴ３の処理後、上述と同様にステップＳＴ４に移行して処理が実施される。なお、図６（Ａ）及び（Ｂ）に示される例では、利用者が選択したレコメンド情報は、「ＢＧＭ」のレコメンド情報である。このため、例えば、利用者が第１ボタン画像１２Ａを選択した場合には、ステップＳＴ６を経由し、ステップＳＴ８にて、「音楽１」に対応する楽曲が音声制御部１８によってスピーカ２０から出力される。すなわち、選択されたボタン画像に対応するレコメンド情報に応じて、レコメンド情報が、表示部１２に表示される共に、スピーカ２０から出力される。
【０１２１】
以上説明したように、本実施例の操作入力システムＳでは、利用者が選択可能な複数の第１〜第４ボタン画像１２Ａ〜１２Ｄが、優先度（適合度）に応じた異なる表示態様でナビゲーション装置１０の表示部１２に表示される。また、操作入力装置３０は、押圧操作可能に構成された操作面４２Ａを有しており、操作面４２Ａは、第１〜第４ボタン画像１２Ａ〜１２Ｄの各々に対応付けられた第１〜第４選択操作領域４２Ａ１〜４２Ａ４を有している。
【０１２２】
ここで、操作入力装置３０は、突出機構４４を有している。この突出機構４４は、操作面４２Ａの第１〜第４選択操作領域４２Ａ１〜４２Ａ４を、第１〜第４ボタン画像１２Ａ〜１２Ｄの優先度（適合度）に応じた異なる突出量で、操作面４２Ａに対して突出させる。すなわち、第１〜第４ボタン画像１２Ａ〜１２Ｄを選択するための第１〜第４選択操作領域４２Ａ１〜４２Ａ４が、利用者により選択可能に操作面４２Ａから前方側へ突出される。しかも、第１〜第４選択操作領域４２Ａ１〜４２Ａ４における操作面４２Ａからの突出高さが、レコメンド情報の優先度（適合度）に応じた、異なる高さになっている。このため、利用者が、高さの異なる第１〜第４選択操作領域４２Ａ１〜４２Ａ４に触れることで、優先度（適合度）と対応した第１〜第４選択操作領域４２Ａ１〜４２Ａ４を直感的に認識することができる。したがって、操作入力装置３０によれば、操作入力の利便性を向上することができる。
【０１２３】
また、本実施例の操作入力システムＳでは、利用者に応じたレコメンド情報が、表示部１２の第１〜第４ボタン画像１２Ａ〜１２Ｄに割り当てられて、表示される。このため、利用者の好みの傾向に応じた情報を提供することができる。
【０１２４】
また、レコメンド情報の優先度（適合度）が高くなるに従い、操作面４２Ａにおける第１〜第４選択操作領域４２Ａ１〜４２Ａ４の突出量が大きく設定されている。このため、利用者が、第１〜第４選択操作領域４２Ａ１〜４２Ａ４に触れたときに、操作する第１〜第４選択操作領域４２Ａ１〜４２Ａ４を優先度（適合度）の高い順に認識することができる。これにより、操作入力の利便性を一層向上することができる。
【０１２５】
また、操作面４２Ａにおいて、突出された第１〜第４選択操作領域４２Ａ１〜４２Ａ４以外の部分が押圧操作されたときには、操作入力制御部６４の制御によって、第１〜第４移動機構４８Ａ〜４８Ｄのスライダ５０が初期位置に復帰される。これにより、第１〜第４ボタン４６Ａ〜４６Ｄが非突出位置に移動されて、第１〜第４選択操作領域４２Ａ１〜４２Ａ４が操作面４２Ａ（非突出領域４２Ａ５）と面一となる位置に復帰する。また、このときには、表示制御部１４によって、ナビゲーション装置１０の表示部１２におけるレコメンド情報を示すボタン画像の表示が終了する。
したがって、表示部１２に表示されたレコメンド情報を示すボタン画像の選択を利用者が所望していない場合に、突出された第１〜第４選択操作領域４２Ａ１〜４２Ａ４以外の部分を利用者が押圧することで、操作入力装置３０を初期状態に戻すことができると共に、ナビゲーション装置１０におけるレコメンド情報を示すボタン画像の表示を終了させることができる。
【０１２６】
また、操作入力装置３０では、利用者の操作面４２Ａへの接触位置を静電容量センサ３６によって検出し、操作面４２Ａに対する押圧を荷重センサ３４によって検出する。そして、操作入力制御部６４が、静電容量センサ３６及び荷重センサ３４からの検出信号に基づいて、利用者の接触した領域を被操作領域として特定する。このため、例えば、利用者が所定荷重未満の荷重で操作面４２Ａに触れた場合には、操作入力制御部６４は、被操作領域を特定しない。これにより、例えば、利用者が所望の選択操作領域を手探りで探す最中に、操作入力装置３０が作動することを抑制できる。したがって、利用者の操作意思に応じて、操作入力装置３０を作動させることができる。
【０１２７】
また、本実施例では、操作入力制御部６４において、静電容量センサ３６における第１〜第４選択操作領域４２Ａ１〜４２Ａ４に対する検出感度を、第１〜第４選択操作領域４２Ａ１〜４２Ａ４の突出量が高くなるに従い高く設定している。このため、操作面４２Ａにおいて、第１〜第４選択操作領域４２Ａ１〜４２Ａ４を突出させる構成にしても、第１〜第４選択操作領域４２Ａ１〜４２Ａ４に対する押圧操作を、静電容量センサ３６によって良好に検出することができる。
【０１２８】
また、突出機構４４は、操作面４２Ａの第１〜第４選択操作領域４２Ａ１〜４２Ａ４を突出させる第１〜第４ボタン４６Ａ〜４６Ｄと、第１〜第４ボタン４６Ａ〜４６Ｄを非突出位置から前方側へ移動させる第１〜第４移動機構４８Ａ〜４８Ｄと、を含んで構成されている。また、第１〜第４移動機構４８Ａ〜４８Ｄは、作動することで第１〜第４ボタン４６Ａ〜４６Ｄを移動させるスライダ５０と、スライダ５０を作動させる駆動機構部５２と、を含んで構成されている。このため、第１〜第４移動機構４８Ａ〜４８Ｄのスライダ５０を初期位置からスライドさせることで、第１〜第４選択操作領域４２Ａ１〜４２Ａ４を、それぞれ独立して操作面４２Ａに対して突出させることができる。また、突出機構４４を簡易な構成にして、第１〜第４選択操作領域４２Ａ１〜４２Ａ４を操作面４２Ａに対して突出させることができる。
【０１２９】
また、第１〜第４移動機構４８Ａ〜４８Ｄにおけるスライダ５０は、カム面５０Ｃを有している。このカム面５０Ｃは、第１〜第４ボタン４６Ａ〜４６Ｄに係合する第１〜第３押上面５０Ｃ２、５０Ｃ４、５０Ｃ６を有しており、第１〜第３押上面５０Ｃ２、５０Ｃ４，５０Ｃ６における前後位置が、それぞれ異なる位置に設定されている。このため、スライダ５０のスライド位置を適宜設定することで（換言すると、モータ５８に対する駆動量を適宜設定することで）、第１〜第４選択操作領域４２Ａ１〜４２Ａ４の突出量を可変させることができる。
【０１３０】
なお、本実施例の操作入力システムＳでは、レコメンド情報を示す複数のボタン画像を表示部１２に表示して、利用者に対してレコメンド情報の選択を促す構成になっている。これに加えて、複数のレコメンド情報を音声によって報知して、利用者に対してレコメンド情報の選択を促す構成にしてもよい。
【０１３１】
例えば、利用者が、押圧操作する前の段階で操作面４２Ａにおける第１〜第４選択操作領域４２Ａ１〜４２Ａ４の何れかに接触した場合には、接触した選択操作領域に対応するレコメンド情報の内容を、スピーカ２０から音声によって報知してもよい。この場合には、例えば、利用者が操作面４２Ａにおける第１〜第４選択操作領域４２Ａ１〜４２Ａ４の何れかに接触したことを、操作入力制御部６４が、静電容量センサ３６からの検出信号に基づいて検知する。そして、操作入力制御部６４は、接触された選択操作領域の位置情報を音声制御部１８に出力する。音声制御部１８は、操作入力制御部６４からの出力情報に基づいて、接触された選択操作領域に対応するレコメンド情報を、スピーカ２０から音声によって報知させる。
【０１３２】
これにより、利用者は、第１〜第４選択操作領域４２Ａ１〜４２Ａ４に接触することで、接触した選択操作領域に対応するレコメンド情報の内容を音声によって確認しながら、第１〜第４選択操作領域４２Ａ１〜４２Ａ４に対する押圧操作の可否を決定することができる。したがって、操作入力の利便性を効果的に向上することができる。
【０１３３】
また、レコメンド情報を音声によって報知する場合には、表示部１２におけるレコメンド情報を示すボタン画像の表示開始に伴って、自動的に音声報知を行ってもよい。例えば、レコメンド情報の内容を、優先度の高い順に自動的に音声によって報知してもよい。
【０１３４】
また、本実施例では、利用者に応じたレコメンド情報が、表示部１２の第１〜第４ボタン画像１２Ａ〜１２Ｄに割り当てられて、表示されるが、表示部１２の第１〜第４ボタン画像１２Ａ〜１２Ｄに割り当てる情報はこれに限らない。例えば、表示部１２に表示されるショートカットキーが操作されたときのメニュー情報を、表示部１２の第１〜第４ボタン画像１２Ａ〜１２Ｄに割り当てて、表示してもよい。この場合におけるメニュー情報としては、「地図表示切替」、「地図スケール切替」、「地点登録」、「ルート検索」、「周辺施設検索」、「地図スクロール」などのコマンド情報が一例として挙げられる。また、この場合には、過去の利用者の各コマンド情報の使用頻度に応じて、各コマンド情報に関する優先度が設定されてもよい。なお、本実施例における「ショートカットキー」とは、利用者が頻繁に使用すると予測されるメニュー情報を表示させるためのキーである。
【０１３５】
また、本実施例では、表示部１２の第１〜第４ボタン画像１２Ａ〜１２Ｄを、対応するレコメンド情報の優先度に応じた異なる表示態様で表示している。具体的には、第１〜第４ボタン画像１２Ａ〜１２Ｄの明度が、対応するレコメンド情報の優先度が高くなるに従い高くなるように設定されているが、第１〜第４ボタン画像１２Ａ〜１２Ｄの表示態様はこれに限らない。例えば、優先度の高いレコメンド情報に対応するボタン画像をカラー表示にして、レコメンド情報の優先度が低くなるに従い、対応するボタン画像をモノトーン表示にしてもよい。または、第１〜第４ボタン画像１２Ａ〜１２Ｄを三次元的なデザインで表示し、これらに対応する第１〜第４選択操作領域４２Ａ１〜４２Ａ４の突出量が利用者に直感的に伝わるような表示態様としてもよい。
【０１３６】
また、本実施例では、操作面４２Ａにおいて突出された選択操作領域以外の領域が、押圧操作されたときに、操作入力装置３０を初期状態に復帰させ、表示部１２におけるレコメンド情報を示すボタン画像の表示が終了するが、当該ボタン画像の表示を終了する方法はこれに限らない。例えば、表示部１２のレコメンド情報を示すボタン画像の表示開始から所定時間経過後においても、操作入力制御部６４において、操作面４２Ａに対する操作を検知しない場合には、操作入力装置３０を初期状態に復帰させ、表示部１２における当該ボタン画像の表示を終了させてもよい。
【０１３７】
また、本実施例では、操作面４２Ａにおける第１〜第４選択操作領域４２Ａ１〜４２Ａ４の突出量が３段階に設定されている。これに代えて、第１〜第４選択操作領域４２Ａ１〜４２Ａ４の突出量を４段階以上（すなわち、表示部１２に表示されるボタン画像の最大数以上）に設定してもよい。この場合には、第１〜第４移動機構４８Ａ〜４８Ｄにおけるスライダ５０のカム面５０Ｃが４箇所以上の押上面を有し、前後方向における各押上面の位置を異なる位置に設定してもよい。または、第１〜第４選択操作領域４２Ａ１〜４２Ａ４の突出量を２段階に設定してもよい。この場合には、第１〜第４移動機構４８Ａ〜４８Ｄにおけるスライダ５０のカム面５０Ｃが２箇所の押上面を有し、前後方向における各押上面の位置を異なる位置に設定してもよい。
【０１３８】
また、本実施例では、操作面４２Ａにおける第１〜第４選択操作領域４２Ａ１〜４２Ａ４の突出量が可変可能に構成されているが、第１〜第４選択操作領域４２Ａ１〜４２Ａ４の各突出量を固定してもよい。この場合には、例えば、表示部１２において、第１ボタン画像１２Ａ〜第４ボタン画像１２Ｄに対応するレコメンド情報の優先度が、常に、第１ボタン画像１２Ａ〜第４ボタン画像１２Ｄの順に低くなるように、第１ボタン画像１２Ａ〜第４ボタン画像１２Ｄに対してレコメンド情報を割り当ててもよい。また、この場合における第１〜第４移動機構４８Ａ〜４８Ｄでは、複数の押上面をスライダ５０に形成する必要がなくなる。このため、第１〜第４移動機構４８Ａ〜４８Ｄの各スライダ５０を、第１〜第４選択操作領域４２Ａ１〜４２Ａ４の突出量に対応する１箇所の押上面を有する構成にしてもよい。
【０１３９】
また、本実施例では、ナビゲーション装置１０のレコメンド情報取得部１６がレコメンド情報を取得する構成になっているが、レコメンド情報を取得する構成は、これに限らない。例えば、ナビゲーション装置１０を外部サーバと通信によって接続して、当該外部サーバにおいてレコメンド情報を取得するように構成してもよい。
【０１４０】
また、本実施例では、操作入力装置３０が、荷重センサ３４と静電容量センサ３６とを含んで構成されているが、操作入力装置３０において、荷重センサ３４を省略してもよい。この場合は、操作入力制御部６４が、静電容量センサ３６における静電容量の変化が所定値以上となった領域の面積に基づいて、操作面４２Ａに対する押圧操作を判断してもよい。
【０１４１】
また、本実施例では、ナビゲーション装置１０の表示部１２に、最大４つのレコメンド情報を示すボタン画像が表示される構成になっているが、表示部１２に表示される当該ボタン画像の個数は任意に設定することができる。この場合には、表示されるレコメンド情報を示すボタン画像の個数に対応して、突出機構４４の移動機構の個数を適宜設定すればよい。また、この場合には、移動機構のスライダ５０におけるカム面５０Ｃの押上面を、当該ボタン画像の個数に対応して適宜設定すればよい。
【０１４２】
また、本実施例では、操作入力装置３０がステアリングホイール８４のパッド部８６に設置されているが、操作入力装置３０の設置場所はこれに限らない。例えば、操作入力装置３０を、車両８０のセンタコンソールや、利用者が着座する車両用シートのアームレストや、車両８０のサイドドアにおける内側パネル等に設置してもよいし、ナビゲーション装置１０と一体に構成してもよい。すなわち、操作入力装置３０が、利用者の手の届く位置に設置されていればよい。
【０１４３】
なお、操作入力システムＳの処理をコンピュータシステムが読み取り可能な記録媒体に記録し、この記録媒体に記録されたプログラムを操作入力システムＳに読み込ませ、実行することによって本発明の操作入力システムＳを実現することができる。ここでいうコンピュータシステムとは、ＯＳや周辺装置等のハードウェアを含む。
【０１４４】
また、「コンピュータシステム」は、ＷＷＷ（Ｗｏｒｌｄ  Ｗｉｄｅ  Ｗｅｂ）システムを利用している場合であれば、ホームページの提供環境（あるいは表示環境）も含むものとしてもよい。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【０１４５】
また、上記プログラムは、前述した機能の一部を実現するためのものであってもよい。さらに、前述した機能をコンピュータシステムにすでに記録されているプログラムとの組合せで実現できるもの、いわゆる差分ファイル（差分プログラム）であってもよい。
【０１４６】
以上、この発明の実施形態および実施例につき、図面を参照して詳述してきたが、具体的な構成はこの実施形態あるいは実施例に限られるものではなく、この発明の要旨を逸脱しない範囲の設計等も含まれる。
【符号の説明】
【０１４７】
１０          ナビゲーション装置（表示装置）
１２Ａ        第１ボタン画像（オブジェクト）
１２Ｂ        第２ボタン画像（オブジェクト）
１２Ｃ        第３ボタン画像（オブジェクト）
１２Ｄ        第４ボタン画像（オブジェクト）
２０          スピーカ（出力部）
３０          操作入力装置
３４          荷重センサ（検出部）
３６          静電容量センサ（静電容量検出部、検出部）
４２Ａ        操作面
４２Ａ１      第１選択操作領域（選択操作領域）
４２Ａ２      第２選択操作領域（選択操作領域）
４２Ａ３      第３選択操作領域（選択操作領域）
４２Ａ４      第４選択操作領域（選択操作領域）
４４          突出機構（突出駆動部）
４６Ａ        第１ボタン（突出部材）
４６Ｂ        第２ボタン（突出部材）
４６Ｃ        第３ボタン（突出部材）
４６Ｄ        第４ボタン（突出部材）
５０          スライダ（移動部材）
５０Ｃ２      第１押上面（係合面）
５０Ｃ４      第２押上面（係合面）
５０Ｃ６      第３押上面（係合面）
５２          駆動機構部（駆動部）
６４          操作入力制御部（特定部）
Ｓ            操作入力システム
【図１】
2019053387.tif 000003
【図２】
2019053387.tif 000004
【図３】
2019053387.tif 000005
【図４】
2019053387.tif 000006
【図５】
2019053387.tif 000007
【図６】
2019053387.tif 000008
【図７】
2019053387.tif 000009